(57)【特許請求の範囲】
【請求項１】
長さ方向に沿う案内長孔及びそれに連続させた挿通孔を有する連結杆を扉の室内側に一方の取付部材を介して鉛直軸で枢着し、連結杆を選択的に係合させかつ案内させるため、先端に係合頭部を有する受杆を扉枠の室内側に他方の取付部材を介して突設させてなるドアガードにおいて、鉛直方向に延扉枠の在する一方の取付部材と扉との間に、鉛直方向に延在する一方の基板を挿設し、この一方の基板に一方の取付部材を摺動可能に係合させると共に、鉛直方向に延在する他方の取付部材と扉枠との間に、鉛直方向に延在する他方の基板を挿設し、この他方の基板に他方の取付部材を摺動可能に係合させ、上記各基板を扉又は扉枠に内ねじで固定し、一方、各取付部材と各基板とは外ねじで固定するようにすると共に、各取付部材の組み付け後、各基板の内ねじは各取付部材によって覆われるように基板における内ねじの位置を定め、他方、一方の基板と一方の取付部材との間に、一方の取付部材が一方の基板に対し相対的に上方又は下方に移動することを阻止する一方のストッパ手段を設けると共に、他方の基板と他方の取付部材との間に、上記一方の取付部材の移動可能方向への他方の取付部材の移動を阻止する他方のストッパ手段を設けたことを特徴とするドアガードの取付装置。
【請求項２】
長さ方向に沿う案内長孔及びそれに連続させた挿通孔を有する連結杆を扉の室内側に一方の取付部材を介して鉛直軸で枢着し、連結杆を選択的に係合させかつ案内させるため、先端に係合頭部を有する受杆を扉枠の室内側に他方の取付部材を介して突設させてなるドアガードにおいて、鉛直方向に延在する一方の取付部材と扉との間に、鉛直方向に延在する一方の基板を挿設し、この一方の基板に一方の取付部材を摺動可能に係合させると共に、水平方向に延在する他方の取付部材と扉枠との間に、水平方向に延在する他方の基板を挿設し、この他方の基板に他方の取付部材を摺動可能に係合させ、上記各基板を扉又は扉枠に内ねじで固定し、一方、各取付部材と各基板とは外ねじで固定するようにすると共に、各取付部材の組み付け後、各基板の内ねじは各取付部材によって覆われるように各基板における内ねじの位置を定め、他方、他方の基板と他方の取付部材との間に、他の取付部材が外方に移動することを阻止するストッパ手段を設けたことを特徴とするドアガードの取付装置。
【請求項３】
長さ方向に沿う案内長孔及びそれに連続させた挿通孔を有する連結杆を扉の室内側に一方の取付部材を介して鉛直軸で枢着し、連結杆を選択的に係合させかつ案内させるため、先端に係合頭部を有する受杆を扉枠の室内側に他方の取付部材を介して突設させてなるドアガードにおいて、鉛直方向に延在する一方の取付部材と扉との間に、鉛直方向に延在する基板を挿設し、この基板に一方の取付部材を摺動可能に係合させると共に、他方の取付部材は止めねじにより直接扉枠にねじ止めし、一方、一方の基板を内ねじで扉に固定すると共に、一方の取付部材を外ねじにより一方の基板に固定し、一方の取付部材と一方の基板との組み付け後、内ねじが一方の取付部材に覆われるるように基板における内ねじの位置を定め、他方、ドアガードの作用状態において、他方の取付部材の止めねじは連結杆で覆われるようにしたことを特徴とするドアガードの取付装置。
【発明の詳細な説明】
【０００１】
【産業上の利用分野】
この発明は、扉と扉枠との間に設けられるドアガードの取付装置に関する。
【０００２】
【従来の技術】
扉の開放角度を制限して、来訪者の確認や郵便物の受渡しを安全に行えるようにしたドアガード、すなわち、長さ方向に沿う案内長孔及びそれに連続させた挿通孔を有する連結杆を扉又は扉枠の室内側に一方の取付部材を介して垂直軸で枢着し、前記連結杆を選択的に係合させかつ案内させるため、先端に係合頭部を有する受杆を扉枠又は扉の室内側に他方の取付部材を介して突設させて成るドアガードは、例えば実開昭５５−５１９５６号公報等に開示され周知のところである。
【０００３】
そして、従来のドアガードにおいては、各取付部材は適当な止めねじにより扉又は扉枠に固定されているため、ドアガードの作用時（連結杆が受杆に係合させてあるとき）、室外側から手を差し込んでドライバ等の工具で止めねじを緩めて抜き出せば、いずれかの取付部材が取り外されるところとなって、室外からの人の侵入を許すことになる。
【０００４】
【発明が解決しようとする課題】
この発明のドアガードの取付装置は、ドアガードの作用時において外部の人の侵入を確実に防止することを目的として提案されたものである。
【０００５】
【課題を解決するための手段】
上記の目的を達成するため、この発明の請求項１のドアガードの取付装置は、上述の従来のドアガードにおいて、鉛直方向に延在する一方の取付部材と扉との間に、鉛直方向に延在する一方の基板を挿設し、この一方の基板に一方の取付部材を摺動可能に係合させると共に、鉛直方向に延在する他方の取付部材と扉枠との間に、鉛直方向に延在する他方の基板を挿設し、この他方の基板に他方の取付部材を摺動可能に係合させ、上記各基板を扉又は扉枠に内ねじで固定し、一方、各取付部材と各基板とは外ねじで固定するようにすると共に、各取付部材の組み付け後、各基板の内ねじは各取付部材によって覆われるように基板における内ねじの位置を定め、他方、一方の基板と一方の取付部材との間に、一方の取付部材が一方の基板に対し相対的に上方又は下方に移動することを阻止する一方のストッパ手段を設けると共に、他方の基板と他方の取付部材との間に、上記一方の取付部材の移動可能方向への他方の取付部材の移動を阻止する他方のストッパ手段を設けたことを特徴とする。
【０００６】
また、この発明の請求項２のドアガードの取付装置は、上述の従来のドアガードにおいて、鉛直方向に延在する一方の取付部材と扉との間に、鉛直方向に延在する一方の基板を挿設し、この一方の基板に一方の取付部材を摺動可能に係合させると共に、水平方向に延在する他方の取付部材と扉枠との間に、水平方向に延在する他方の基板を挿設し、この他方の基板に他方の取付部材を摺動可能に係合させ、上記各基板を扉又は扉枠に内ねじで固定し、一方、各取付部材と各基板とは外ねじで固定するようにすると共に、各取付部材の組み付け後、各基板の内ねじは各取付部材によって覆われるように各基板における内ねじの位置を定め、他方、他方の基板と他方の取付部材との間に、他の取付部材が外方に移動することを阻止するストッパ手段を設けたことを特徴とする。
【０００７】
更に、この発明の請求項３のドアガードの取付装置は、上述の従来のドアガードにおいて、鉛直方向に延在する一方の取付部材と扉との間に、鉛直方向に延在する基板を挿設し、この基板に一方の取付部材を摺動可能に係合させると共に、他方の取付部材は止めねじにより直接扉枠にねじ止めし、一方、一方の基板を内ねじで扉に固定すると共に、一方の取付部材を外ねじにより一方の基板に固定し、一方の取付部材と一方の基板との組み付け後、内ねじが一方の取付部材に覆われるるように基板における内ねじの位置を定め、他方、ドアガードの作用状態において、他方の取付部材の止めねじは連結杆で覆われるようにしたことを特徴とする。
【０００８】
【作用】
図１〜図６に示すこの発明の第１実施例（請求項１）においては、ドアガードの作用時に、扉１０と扉枠２０との間の隙間３０から手を差し込んでドライバ等の工具で両取付部材１３、２３の外ねじ９３、９４を外しても、内ねじ９１、９２で扉１０又は扉枠２０に固定された各基板１４、２４に摺動可能に嵌め合わされた各取付部材１３、２３は、各ストッパ手段１６、２６によって下方又は上方への摺動が阻止される。
【０００９】
換言すれば、連結杆１が受杆２に係合させてあるときは、両基板１４、２４上の両取付部材１３、２３は、連結杆１及び受杆２の存在により幅方向に剛的に連続させてある関係にあるので、互に逆方向の相対移動を阻止するように設けたストッパ手段１６、２６により上下方向の摺動が共に拘束されることになる。
【００１０】
従って、扉１０又は扉枠２０から一方又は両方の取付部材１３、２３を取り外すことが防止できる。
【００１１】
図７に示すこの発明の第２実施例（請求項２）においては、一方の取付部材１３は一方の基板１４に対し垂直方向に摺動可能に嵌め合せてあり、また、他方の取付部材２３は他方の基板２４に対し水平方向に摺動可能に嵌め合わせてあるので、ドアガードの作用時に、仮に室外から工具により両方の外ねじ９３、９４が外されたとしても、両取付部材１３、２３、連結杆１及び受杆２の組立体は、全体としての直線的変位が不能である。
【００１２】
また、同図でストッパ手段２６が存在しているため、外ねじ９４が外されていても他方の取付部材２３が他方の基板２４に対し隙間３０（左方）に向け変位させることはできず、その抜け出しが阻止される。
【００１３】
従って、この実施例においても、扉１０又は扉枠２０から１つ又は両方の取付部材１３、２３が取り外されるようなことはない。
【００１４】
図８に示すこの発明の第３実施例（請求項３）においては、ドアガードの作用時に、他方の取付部材２３を固定する止めねじ９５の頭部は連結杆１によって覆われているので、工具による外部からの止めねじ９５の取り外しはできず、仮に基板１４に対し嵌め合わされている一方の取付部材１３の外ねじ（９３）が室外から外されたとしても、一方の取付部材１３は、その基板１４から抜き出すことはできない。
【００１５】
従って、この実施例においても、外部からドアガードの作用状態を解除することはできない。
【００１６】
【実施例】
以下図面に示す３つの実施例に基づいてこの発明について説明する。
図１〜図６に示す第１実施例において、符号１０は扉、符号２０は扉枠、３０は扉と扉枠との間の隙間をそれぞれ示す。
【００１７】
長さ方向に沿う案内長孔１１及びそれに連続させたやや幅広の挿通孔１２を有する連結杆１は、例えば正面形がＵ字状に形成され、扉１０の室内側に一方の取付部材１３及び一方の基板１４を介して折り畳み可能に枢着されている。符号１５は連結杆１と一方の取付部材１３との間に設けられた鉛直軸である。
【００１８】
前記の連結杆１に選択的に係合する受杆２は、先端に係合頭部２１を有し、扉枠２０の室内側に他方の取付部材２３及び他方の基板２４を介して突設されている。
【００１９】
連結杆１は不使用時扉１０の表面に近接させた状態で折り畳まれる。扉１０を閉鎖して連結杆１を手で揺動起伏させると、係合頭部２１を含む受杆２が幅広の挿通孔１２を通じて嵌め外しされ、連結杆１は作用位置又は非作用位置を占めることになる。連結杆１の起伏操作は従来のドアガードと変わるものではない。
【００２０】
上記した両取付部材１３、２３と取付け対象の扉１０又は扉枠２０との間には一方の基板１４及び他方の基板２４をそれぞれ介在させる。各基板１４、２４は扉１０又は扉枠２０に内ねじ９１、９２で固定する。
【００２１】
各基板１４、２４に対し各取付部材１３、２３は蟻溝又はコ字状の溝などにより嵌め合わせるようにして鉛直方向に摺動可能に装着する。各基板１４、２４に対し各取付部材１３、２３を所定位置で重合させたら、各取付部材１３、２３は各基板１４、２４に対し外ねじ９３、９４で固定する。
【００２２】
各取付部材１３、２３の組み付け後、各基板１４、２４の内ねじ９１、９２は各取付部材１３、２３でその頭部が覆われるようにする。
【００２３】
そして、一方の基板１４と一方の取付部材１３との間には摺動方向における下方又は上方について一方のストッパ手段１６を有し、他方の基板２４と他方の取付部材２３との間には摺動方向における上方又は下方について他方のストッパ手段２６を有する。
【００２４】
言い換えると、両ストッパ手段１６、２６は垂直方向について上下で逆の方向に抜け出すことを阻止するように設けられている。
【００２５】
各ストッパ手段１６、２６は、図示のように、ピン状の突起と係合孔との組で作ることができるが、勿論、外の形式のもので代替させることができる。
【００２６】
図７に示す第２実施例では、第１実施例と相違している部分についてのみ述べる。
一つの相違点は、他方の基板２４に対し他方の取付部材２３は、蟻溝又はコ字状の溝などにより嵌め合わせるようにして水平方向に摺動可能にすることである。
【００２７】
そして、他の他の相違点は他方の基板２４と他方の取付部材２３との間には、その取付部材２３の外方（図７で左方）に向く摺動を阻止するストッパ手段２６を設けることである。但し、この例では、図示はしていないが、一方の基板１４と一方の取付部材１３との間にはストッパ手段を要しない。
【００２８】
図８に示す第３実施例でも、第１実施例と相違している部分についてのみ述べる。
連結杆１を有する側の部材については、一方の基板１４と一方の取付部材１３との間にストッパ手段を要しない。
【００２９】
そして、他方の取付部材２３は基板を介することなく扉枠２０又は扉１０に直接止めねじ９５で固定する。更に、ドアガードの作用状態において、前記止めねじの頭部は連結杆１によって覆われるように位置させるものとする。
【００３０】
【発明の効果】
以上に説明したこの発明のドアガードの取付装置によれば、ドアガード作用時に、室外側からドライバ等の工具を差し込んでねじを緩めることにより一方又は他方の取付部材を連結杆又は受杆と共に取り外すことをできないようにしたので、盗難等の犯罪を防止する上に極めて有利である。
【図面の簡単な説明】
【図１】この発明のドアガードの取付装置の第１実施例をドアガードの作用時において示す正面図。
【図２】その平面図。
【図３】第１実施例において連結側の部材を示す側面図。
【図４】その連結杆側部材を分解して示す側面図。
【図５】第２実施例の受杆側の部材を示す正面図。
【図６】その受杆側部材を分解して示す正面図。
【図７】この発明の第２実施例の要部である受杆側部材をドアガードの作用時において示す正面図。
【図８】この発明の第３実施例をドアガードの作用時において示す正面図。
【符号の説明】
１０  扉
２０  扉枠
３０  隙間
１  連結杆
１１  案内長孔
１２  挿通孔
１３  一方の取付部材
１４  一方の基板
１５  垂直軸
１６  一方のストッパ手段
２  受杆
２１  係合頭部
２３  他方の取付部材
２４  他方の基板
２６  他方のストッパ手段
【図１】
0003701705.tif 000002
【図２】
0003701705.tif 000003
【図３】
0003701705.tif 000004
【図４】
0003701705.tif 000005
【図５】
0003701705.tif 000006
【図６】
0003701705.tif 000007
【図７】
0003701705.tif 000008
【図８】
0003701705.tif 000009